(57)【要約】    【課題】  血行障害要因を除去し、保温性が向上し、リンパ節への圧迫を解除することができる下半身下着を提供する。    【解決手段】  腹部を覆う前面側部及び臀部を覆う後面側部がシック部を介して連続した下半身下着において、ウエスト開口部の後側の縁部中央が人体の第２腰椎部の上縁部から第３腰椎の上縁部までの範囲内に位置するように設定し、前記ウエスト開口部の前側の縁部中央が第２腰椎から第３腰椎の間の部位よりも１００〜１５０ｍｍの範囲の下方に位置するように設定したことを特徴とする。  【選択図】    図６
2007009372.tif 000002
【特許請求の範囲】
【請求項１】
腹部を覆う前面側部及び臀部を覆う後面側部がシック部を介して連続した下半身下着において、
ウエスト開口部の後側の縁部中央が人体の第２腰椎部の上縁部から第３腰椎の上縁部までの範囲内に位置するように設定し、
前記ウエスト開口部の前側の縁部中央が第２腰椎から第３腰椎の間の部位よりも１００〜１５０ｍｍの範囲の下方に位置するように設定したことを特徴とする下半身下着。
【請求項２】
前記ウエスト開口部の左右上端部が人体の腸骨稜上端部に当接するように設定し、前記前面側部の脇端の下縁部が人体の外腹斜筋の筋繊維とほぼ同一方向に伸びるようにしたことを特徴とする請求項１に記載の下半身下着。
【請求項３】
前記後面側部の裾縁部が人体の臀部の下側に沿うようにしたことを特徴とする請求項１又は２に記載の下半身下着。
【請求項４】
前記前面側部を構成する前身頃の下縁部とシック部片の前縁部とを接合し、前記前身頃の下縁部を逆Ｖ字状に切り込む一方、前記シック部片の前縁部を逆Ｖ字状に突出し、前記シック部片の前縁部の頂部は人体の恥骨結合部よりも２０〜５０ｍｍの範囲の上方に位置するように設定したことを特徴とする請求項１から３のいずれかに記載の下半身下着。
【請求項５】
前記シック部の股下部分の幅を、４０〜６０ｍｍの範囲に設定したことを特徴とすることを特徴とする請求項１から４のいずれかに記載の下半身下着。
【発明の詳細な説明】
【技術分野】
【０００１】
本発明は、人体に負担をかけないショーツ状の下半身下着に関するものである。
【背景技術】
【０００２】
従来の下半身下着を構成部材の１つである後身頃は、人体の第２腰椎まで覆うような形状にはなっていなかったので、当該部分に相当する位置にある腎臓の保温機能に乏しく、血流が滞り易くなるという問題があった。
【０００３】
また、ウエスト開口部の前縁部中央の人体の腰部付近に位置していたので、前身頃が尿管や下大静脈を圧迫して尿管を圧搾し、尿の膀胱への排出障害、下大静脈の圧迫による血行障害の要因になっていた。
【０００４】
また、ウエスト開口部の開口縁は、人体の腸骨稜を横切るようになっていたので、人体の外腹斜筋の筋繊維方向に対して横断して外腹斜筋を圧迫することになり、ウエスト開口部の締め付け作用によって外腹斜筋が圧迫されて血行が阻害されるという問題があった。
また、人体の臀部が垂下すれば、大伏在静脈を屈曲させて捻転を引き起こし、通過断面積を減少させて血流の障害が発生する。
【０００５】
また、図７のように前身頃と縫合により結合されるシック部片１００の結合辺１０１は円弧状をなし、該結合部は、人体の恥骨結合部を横切る部位に位置していたので、前身頃とシック部片１００の縫合線が人体の陰核包皮、陰核亀頭、浅鼠径リンパ節、腹部表在性静脈等を圧迫することになってリンパ液循環不良や血行不良が生じさせるという問題があった。
【０００６】
更に、シック部片１００の股下部分の幅Ｗは、人体の股下域とほぼ同幅となるように７０〜１００ｍｍに設定されていたので、人体の鼠径部（太ももの付け根）がシック部片によって圧迫されて鼠径リンパ節のリンパ液の循環が阻害され、また、大伏在静脈を圧迫して大腿静脈への環流が阻害されるという問題があった。
【発明の開示】
【発明が解決しようとする課題】
【０００７】
そこで、本発明は、血行障害要因を除去し、保温性が向上し、リンパ節への圧迫を解除することができる下半身下着を提供することを課題とする。
【課題を解決するための手段】
【０００８】
本発明者は、前記課題を解決するために鋭意研究を重ねて完成されたものである。
１．腹部を覆う前面側部及び臀部を覆う後面側部がシック部を介して連続した下半身下着において、ウエスト開口部の後側の縁部中央が人体の第２腰椎部の上縁部から第３腰椎の上縁部までの範囲内に位置するように設定し、前記ウエスト開口部の前側の縁部中央が第２腰椎から第３腰椎の間の部位よりも１００〜１５０ｍｍの範囲の下方に位置するように設定したことを特徴とする下半身下着を提供する。
２．前記ウエスト開口部の左右上端部が人体の腸骨稜上端部に当接するように設定し、前記前面側部の脇端の下縁部が人体の外腹斜筋の筋繊維とほぼ同一方向に伸びるようにしたことを特徴とする前記１に記載の下半身下着を提供する。
３．前記後面側部の裾縁部が人体の臀部の下側に沿うようにしたことを特徴とする前記１又は２に記載の下半身下着を提供する。
４．前記前面側部を構成する前身頃の下縁部とシック部片の前縁部とを接合し、前記前身頃の下縁部を逆Ｖ字状に切り込む一方、前記シック部片の前縁部を逆Ｖ字状に突出し、前記シック部片の前縁部の頂部は人体の恥骨結合部よりも２０〜５０ｍｍの範囲の上方に位置するように設定したことを特徴とする前記１から３のいずれかに記載の下半身下着を提供する。
５．前記シック部の股下部分の幅を、４０〜６０ｍｍの範囲に設定したことを特徴とすることを特徴とする前記１から４のいずれかに記載の下半身下着。
【発明の効果】
【０００９】
本発明の下半身下着によれば、ウエスト開口部の後側の縁部中央が人体の第２腰椎部の上縁部から第３腰椎の上縁部までの範囲内に位置するように設定したので、人体の第２腰椎部分を後面側部で覆って腎臓を保温して血行を促進させることができる。しかも、ウエスト開口部の前側の縁部中央が第２腰椎から第３腰椎の間に部位よりも１００〜１５０ｍｍの範囲の下方に位置するように設定したので、尿管や下大静脈への圧迫を防止でき、尿管が圧搾されて尿の膀胱への排出障害、下大静脈の圧迫による血流障害を改善することができる。
【００１０】
また、前記ウエスト開口部の左右上端部が人体の腸骨稜上端部に当接するように設定し、前記前面側部の脇端の下縁部が人体の外腹斜筋の筋繊維とほぼ同一方向に伸びるようにすれば、前記前面側部の脇端が外腹斜筋の筋繊維方向に対して横断して外腹斜筋を圧迫するのを防止できる。
【００１１】
また、後面側部の裾縁部が臀部の下側に沿うように設定すれば、人体の臀部を後面側部で下から支えることができるので、大臀筋に下垂による大伏在静脈の屈曲によって捻転を引き起こして血流障害が発生するのを防止できる。
【００１２】
また、前記前面側部を構成する前身頃の下縁部とシック部片の前縁部とを接合し、前記前身頃の下縁部を逆Ｖ字状に切り込む一方、前記シック部片の前縁部を逆Ｖ字状に突出し、シック部片の前縁部の頂部が人体の恥骨結合部よりも２０〜５０ｍｍの範囲の上方に位置するように設定すれば、前身頃とシック部の結合部によって人体の陰核包皮や陰核亀頭が圧迫されるのを防止できる。
【００１３】
しかも、着用時に前身頃の上縁部が引き上げられた状態では、前身頃を上方に引っ張る力によって前身頃の下縁部の開口角度が拡がろうとするので、接合部による圧迫力を裾口部の縁部の方向に逃がすことができる。
【００１４】
更に、シック部の股下部分の幅を４０〜６０ｍｍの範囲に設定すれば、股下部分の側縁によって鼠径部が圧迫されるのを回避でき、鼠径部の締め付け感から開放される。
【発明を実施するための最良の形態】
【００１５】
以下、本発明に係る下半身下着の実施形態について図面を参照しつつ説明する。
【００１６】
下半身下着１は、人体の腹部ａを覆う前身頃（前面側部）２と、人体の臀部ｆを覆う後身頃（後面側部）３と、人体の下股ｂを覆うシック部４を構成するシック部片４１とを備える。
【００１７】
下半身下着１の生地は例えば綿、ナイロン、ポリエステル或いはポリウレタン等の混紡である。
【００１８】
後身頃３は、ウエスト開口部５を構成する上縁部３１の中央が人体の第２腰椎部ｃの上縁部から第３腰椎ｄの上縁部までの範囲内に位置するように形成されている。これによって着用時には後身頃３は、少なくとも人体の第２腰椎ｃ部分を覆うことができて当該部分に位置する腎臓を保温できる。なお、図４中の符号ｃ１は第２腰椎部ｃの上縁部を、符号ｄは第３腰椎ｄの上縁部のレベルを示している。
【００１９】
また、後身頃３は、裾口部６の裾縁部３２がシック部４の後端を起点として左右に分岐し、人体の太腿ｅと臀部ｆとの境界に沿い、かつ、臀部の両側を経て前面のウエスト開口部５の近傍に到達するように形成されている。すなわち、後身頃３の裾縁部３２がウエスト開口部５の近傍を始点とし、臀部ｆの下側に沿うように形成されている。これによって人体の臀部ｆを下から支持できるようになっている。
【００２０】
前身頃２は、ウエスト開口部５を構成する上縁部２１からシック部４の前端に至り、かつ、上縁部２１の中央部分は人体の第２腰椎ｃから第３腰椎ｄの間に部位から１００〜１５０ｍｍの範囲の下方に位置するように形成されている。これにより、着用時には、図６のように前身頃２の上縁部２１が人体の下腹部のトップ位置よりも５０〜１００ｍｍの範囲に下方を通過し、膀胱と尿管の接点から下方に膀胱の丈の３分の１〜２分の１を支えることができるようになり、尿管、下大静脈が圧迫されるのを防止できる。
【００２１】
また、下半身下着１は、シック部４を下側として後身頃３を折り返して前身頃２に重ね、後身頃３の左右の脇端３４と前身頃２の左右脇端２４とを重ね合わせ、縫合によって結合されている。
【００２２】
図６のように着用時には前身頃２の上縁部２１が人体の腸骨稜上端部に当接し、かつ、前身頃２の裾縁部２２及び前身頃２の脇端２４の下縁部のうちの少なくとも脇端２４の下縁部が、図６の矢印で示すように人体の外腹斜筋ｇの筋繊維とほぼ同一方向に伸びるように設定されている。これによって前身頃２の脇端２４が外腹斜筋ｇの筋繊維方向に対して横断して該外腹斜筋ｇを圧迫するのを防止できる。なお、図６のように後身頃３の脇端３４を前身頃２の脇端２４に上側から覆うように重ねられることによってかかる効果をより一層顕著になる。
【００２３】
前身頃２の下縁部２３はシック部片４１の前縁部４１ａに、後身頃３の下縁部３３はシック部片４１の後縁部４１ｂにそれぞれ縫合により接合されている。
前身頃２の下縁部２３は逆Ｖ字状に切り込まれ、シック部片４１の前縁部４１ａは前身頃２の下縁部２３と合致するように逆Ｖ字状に突出され、シック部片４１の前縁部４１ａの頂部４１ｃは人体の恥骨結合部よりも２０〜５０ｍｍの範囲の上方に位置するように設定されている。なお、Ｖ字の開き角度は１００°±１０°に設定するのが好ましい。
また、前記シック部４の股下部分の幅Ｗは、人体の股下の幅よりも狭い４０〜６０ｍｍの範囲に設定されている。
【図面の簡単な説明】
【００２４】
【図１】本発明の下半身下着の実施形態を示す斜視図である。
【図２】（ａ）は同実施形態の下半身下着の前身頃を示す展開平面図、（ｂ）は後身頃を示す展開平面図、（ｃ）はシック部を示す展開平面図である。
【図３】同実施形態の下半身下着の展開平面図である。
【図４】同実施形態の下半身下着の着用状態を示す正面図である。
【図５】同実施形態の下半身下着の着用状態を示す背面図である。
【図６】同実施形態の下半身下着の着用状態を示す側面図である。
【図７】従来の下半身下着のシック部の展開平面図である。
【符号の説明】
【００２５】
１      下半身下着
２      前身頃（前面側部）
３      後身頃（後面側部）
４      シック部
４１    シック部片
５      ウエスト開口部
６      裾口部
ａ      腹部
ｂ      下股
ｃ      第２腰椎部
ｄ      第３腰椎
ｃ１    第２腰椎の上縁部のレベル
ｄ      第３腰椎の上縁部のレベル
【図１】
2007009372.tif 000003
【図２】
2007009372.tif 000004
【図３】
2007009372.tif 000005
【図４】
2007009372.tif 000006
【図５】
2007009372.tif 000007
【図６】
2007009372.tif 000008
【図７】
2007009372.tif 000009